(57)【要約】【課題】チェーンを用いることなく搬送ベルトを確実に牽引し得、円滑な運転を行い得る搬送装置を提供する。【解決手段】一方の面に搬送対象物が載る搬送ベルト１の搬送経路途中における地上側所要箇所に、給電が行われるリニア誘導モータの一次側固定子１８を搬送経路方向へ所定の間隔で設置すると共に、前記搬送ベルト１の他方の面側に、前記一次側固定子１８に対峙して搬送経路方向への推力を発生させるための二次側可動子１９を配設する。【選択図】　　　　図２
2004043132.tif 000002
【特許請求の範囲】
【請求項１】
可撓性を有し且つ一方の面に搬送対象物が載る無端状の搬送ベルトを搬送経路に沿って周回させる搬送装置において、
前記搬送ベルトの搬送経路途中における地上側所要箇所に、給電が行われるリニア誘導モータの一次側固定子を搬送経路方向へ所定の間隔で設置すると共に、前記搬送ベルトの他方の面側に、前記一次側固定子に対峙して搬送経路方向への推力を発生させるための二次側可動子を配設したことを特徴とする搬送装置。
【請求項２】
搬送ベルトを、一方の面に搬送対象物が載る可撓層と、該可撓層の他方の面側にそれぞれがベルト幅方向に延び且つベルト周回方向へ所定の間隔で埋め込まれた横剛性部材とで構成すると共に、該横剛性部材自体を二次側可動子とした請求項１記載の搬送装置。
【発明の詳細な説明】
【０００１】
【発明の属する技術分野】
本発明は、搬送装置に関するものである。
【０００２】
【従来の技術】
図３〜図６は近年提案されている搬送装置の一例であり、この搬送装置は、一方の面に利用者が搭乗する無端状の搬送ベルト１と、該搬送ベルト１の他方の面の幅方向中央部分にその周回方向へ延び且つ搬送ベルト１に装着された無端状のチェーン２と、該チェーン２を介して搬送ベルト１を周回させるための駆動装置３とを備えている。
【０００３】
前記搬送ベルト１は、ゴム系材料によって形成され且つ利用者が搭乗する一方の面に、図４に示される如く、ベルト長手方向へ延びる複数の溝４がベルト幅方向に等間隔に設けられた可撓層５と、それぞれがベルト幅方向に延び且つチェーン２に対峙するようにベルト長手方向へ所定の間隔で可撓層５に埋め込まれた金属製の横剛性部材６とで構成されている。
【０００４】
又、前記可撓層５の他方の面には、図５に示される如く、その左右の周縁部分から中心部分近傍へ延びる切欠き７を前後に隣接する横剛性部材６の間に設けて、搬送ベルト１の左右への湾曲性の向上を図っている。
【０００５】
前記チェーン２は、図４〜図６に示される如く、それぞれ周回方向に並んだ左右一対の内側プレート８と、左右の内側プレート８間の前端寄り部分及び後端寄り部分に配置されたローラ９と、該ローラ９を左右の内側プレート８に枢支するピン１０と、前端部が内側プレート８後端寄り部分に重なるようにピン１０に係止され且つ後端部が内側プレート８前端寄り部分に重なるようにピン１０に係止された左右一対の外側プレート１１とで構成されている。
【０００６】
前記内側プレート８に穿設されたピン孔の内周面と、該ピン孔に挿通されるピン１０の外周面との間には、予めクリアランスが設定されており、チェーン２が、図６に示される如く、その左右方向へ湾曲できるようになっている。
【０００７】
前記周回方向に並ぶ外側プレート１１には、これらの１つおきに、図４及び図５に示される如く、横剛性部材６に当接してボルト締結される取付座１２を設けている。
【０００８】
前記搬送ベルト１及びチェーン２は、図３に示される如く、下側乗降位置Ａから上側乗降位置Ｂへ向かう螺旋状の上り側搬送経路を形成し、又、上側乗降位置Ｂから下側乗降位置Ａへ向かう螺旋状の下り側搬送経路を形成するように、多数のローラ等で構成した案内手段（図示せず）で導かれるようになっている。
【０００９】
前記駆動装置３は、下側乗降位置Ａ、上側乗降位置Ｂごとに設置され、チェーン２をその反ベルト寄り縁部が噛合するように上方から巻き掛けた駆動スプロケット１３及び上部ベンドスプロケット１４と、これらのスプロケット１３，１４の間に配置され且つ搬送ベルト１をその一方の面が下方から接するように巻き掛けた下部ベンドプーリ１５，１６と、前記駆動スプロケット１３を回転させるモータ１７とで構成されている。
【００１０】
上述した搬送装置では、モータ１７によって回転する駆動スプロケット１３がチェーン２を矢印Ｓ方向へ送出し、該チェーン２と共に搬送ベルト１が、下側乗降位置Ａから上側乗降位置Ｂへ至る上り側搬送経路、及び上側乗降位置Ｂから下側乗降位置Ａへ至る下り側搬送経路を周回することになる。
【００１１】
【発明が解決しようとする課題】
しかしながら、前述の如き従来の搬送装置では、搬送ベルト１の下面側にチェーン２を取り付けているため、駆動スプロケット１３や上部ベンドスプロケット１４にチェーン２が掛け回される箇所、或いは下部ベンドプーリ１５，１６に搬送ベルト１が掛け回される箇所等において、搬送ベルト１とチェーン２の曲げ半径が異なり、搬送ベルト１とチェーン２のうちのいずれかに無理な力が加わり、しかも、搬送ベルト１の可撓層５及びチェーン２の構成材料の物性の相違や製作精度に起因して、周回方向に並んだ横剛性部材６と取付座１２の間隔を合致させにくくなっており、この結果、前記駆動スプロケット１３とチェーン２との噛み合いに不具合が生じてしまい、チェーン２で搬送ベルト１を牽引する構成が成立しなくなる虞があった。
【００１２】
本発明は、斯かる実情に鑑み、チェーンを用いることなく搬送ベルトを確実に牽引し得、円滑な運転を行い得る搬送装置を提供しようとするものである。
【００１３】
【課題を解決するための手段】
本発明は、可撓性を有し且つ一方の面に搬送対象物が載る無端状の搬送ベルトを搬送経路に沿って周回させる搬送装置において、
前記搬送ベルトの搬送経路途中における地上側所要箇所に、給電が行われるリニア誘導モータの一次側固定子を搬送経路方向へ所定の間隔で設置すると共に、前記搬送ベルトの他方の面側に、前記一次側固定子に対峙して搬送経路方向への推力を発生させるための二次側可動子を配設したことを特徴とする搬送装置にかかるものである。
【００１４】
上記手段によれば、以下のような作用が得られる。
【００１５】
前述の如く構成すると、リニア誘導モータの一次側固定子に給電を行うことにより、搬送ベルトに配設された二次側可動子に搬送経路方向への推力が発生し、搬送ベルトが搬送経路に沿って周回する形となり、搬送ベルトの他方の面側にチェーンを取り付ける必要がなくなり、搬送ベルトに無理な力が加わるようなことも避けられ、搬送ベルトを安定して牽引することが可能となる。
【００１６】
前記搬送装置においては、搬送ベルトを、一方の面に搬送対象物が載る可撓層と、該可撓層の他方の面側にそれぞれがベルト幅方向に延び且つベルト周回方向へ所定の間隔で埋め込まれた横剛性部材とで構成すると共に、該横剛性部材自体を二次側可動子とすることができ、このようにすると、横剛性部材自体が二次側可動子として兼用され、部品点数を削減することが可能となる。
【００１７】
【発明の実施の形態】
以下、本発明の実施の形態を図示例と共に説明する。
【００１８】
図１及び図２は本発明を実施する形態の一例であって、図中、図３〜図６と同一の符号を付した部分は同一物を表わしており、基本的な構成は図３〜図６に示す従来のものと同様であるが、本図示例の特徴とするところは、図１及び図２に示す如く、一方の面に搬送対象物が載る搬送ベルト１の搬送経路途中における地上側所要箇所に、給電が行われるリニア誘導モータの一次側固定子１８を搬送経路方向へ所定の間隔で設置すると共に、前記搬送ベルト１の他方の面側に、前記一次側固定子１８に対峙して搬送経路方向への推力を発生させるための二次側可動子１９を配設した点にある。
【００１９】
前記リニア誘導モータの一次側固定子１８としては、例えば、積層した鉄板に多数の溝を形成し、該鉄板の溝に三相の巻線コイルを巻き付けたものを使用することができ、又、前記二次側可動子１９としては、例えば、前記一次側固定子１８側の電流により電気回路を構成するための磁性体板（主に鉄板）の表面に、渦電流を発生させるための非磁性体板（例えば、銅又はアルミニウム等の板）を積層したものを使用することができ、前記一次側固定子１８の巻線コイルに供給した交流電圧によって生じた移動磁界により、前記二次側可動子１９の非磁性体板上に渦電流を発生させ、磁界と電流の作用により発生する推力を利用するようにしてある。
【００２０】
尚、前記一次側固定子１８については、必ずしも搬送経路全長に亘って設置する必要はなく、地上側の所要箇所に、搬送ベルト１を周回させるために充分な推力が得られるだけのものを必要個数、設置すればよい。
【００２１】
次に、上記図示例の作用を説明する。
【００２２】
前述の如く構成すると、リニア誘導モータの一次側固定子１８に給電を行うことにより、搬送ベルト１に配設された二次側可動子１９に搬送経路方向への推力が発生し、搬送ベルト１が搬送経路に沿って周回する形となり、搬送ベルト１の他方の面側にチェーン２（図３〜図６参照）を取り付ける必要がなくなり、搬送ベルト１に無理な力が加わるようなことも避けられ、搬送ベルト１を安定して牽引することが可能となる。
【００２３】
こうして、チェーン２を用いることなく搬送ベルト１を確実に牽引し得、円滑な運転を行い得る。
【００２４】
一方、図１及び図２には、可撓層５の他方の面側にそれぞれがベルト幅方向に延び且つベルト周回方向へ所定の間隔で埋め込まれた横剛性部材６の下面側に二次側可動子１９を一体に取り付けた例を示したが、前記横剛性部材６自体を二次側可動子１９とすることもでき、このようにすると、横剛性部材６自体が二次側可動子１９として兼用され、部品点数を削減することが可能となる。
【００２５】
尚、本発明の搬送装置は、上述の図示例にのみ限定されるものではなく、利用者が搭乗する動く歩道のような搬送装置に限らず、各種物品用の搬送装置にも適用可能なこと等、その他、本発明の要旨を逸脱しない範囲内において種々変更を加え得ることは勿論である。
【００２６】
【発明の効果】
以上、説明したように本発明の請求項１記載の搬送装置によれば、チェーンを用いることなく搬送ベルトを確実に牽引し得、円滑な運転を行い得るという優れた効果を奏し得、又、本発明の請求項２記載の搬送装置によれば、上記効果に加え更に、部品点数を削減し得るという優れた効果を奏し得る。
【図面の簡単な説明】
【図１】本発明を実施する形態の一例の横断面図である。
【図２】図１のＩＩ−ＩＩ断面図である。
【図３】近年提案されている搬送装置の一例の主要構成を示す概念図である。
【図４】図３における搬送ベルト及びチェーンを示す横断面図である。
【図５】図４のＶ−Ｖ断面図である。
【図６】図５におけるチェーンを示す平面図である。
【符号の説明】
１　　搬送ベルト
４　　溝
５　　可撓層
６　　横剛性部材
７　　切欠き
１８　　一次側固定子
１９　　二次側可動子
【図１】
2004043132.tif 000003
【図２】
2004043132.tif 000004
【図３】
2004043132.tif 000005
【図４】
2004043132.tif 000006
【図５】
2004043132.tif 000007
【図６】
2004043132.tif 000008